(57)【要約】【課題】  開発コストを低減することができる制御プログラムおよび画像形成装置を提供する。【解決手段】  操作が入力される操作部と、情報を表示する表示部とを備えるＭＦＰによって実行されるＪａｖａアプリケーションプログラムは、操作部に入力された操作を受け付ける操作受付手段と、表示部を制御する表示制御手段とをＭＦＰに実現させ、表示制御手段は、ＭＦＰがキオスク端末に接続されている場合（Ｓ１２７でＹＥＳ）と、ＭＦＰがコインベンダーに接続されている場合（Ｓ１２２でＹＥＳ）とで、表示部による表示を切り替え（Ｓ１２３、Ｓ１２５およびＳ１２８）、操作受付手段は、表示部による表示に対して操作部に入力された操作を受け付けることを特徴とする。【選択図】  図７
2019193153.tif 000002
【特許請求の範囲】
【請求項１】
操作が入力される操作デバイスと、情報を表示する表示デバイスとを備える画像形成装置によって実行される制御プログラムであって、
前記操作デバイスに入力された操作を受け付ける操作受付手段と、
前記表示デバイスを制御する表示制御手段と
を前記画像形成装置に実現させ、
前記表示制御手段は、前記画像形成装置が第１の装置に接続されている場合と、前記画像形成装置が前記第１の装置とは異なる第２の装置に接続されている場合とで、前記表示デバイスによる表示を切り替え、
前記操作受付手段は、前記表示デバイスによる表示に対して前記操作デバイスに入力された操作を受け付けることを特徴とする制御プログラム。
【請求項２】
前記表示制御手段は、
前記画像形成装置が前記第１の装置に接続されている場合には、前記画像形成装置および前記第１の装置を備える画像形成システム用の操作画面を前記表示デバイスに表示せず、
前記画像形成装置が前記第２の装置に接続されている場合には、前記画像形成装置および前記第２の装置を備える画像形成システム用の操作画面を前記表示デバイスに表示し、
前記第１の装置は、前記画像形成装置および前記第１の装置を備える画像形成システム用の操作画面を表示することを特徴とする請求項１に記載の制御プログラム。
【請求項３】
操作が入力される操作デバイスと、
情報を表示する表示デバイスと
を備え、
請求項１または請求項２に記載の制御プログラムを実行することを特徴とする画像形成装置。
【発明の詳細な説明】
【技術分野】
【０００１】
本発明は、画像形成装置の制御プログラムおよび画像形成装置に関する。
【背景技術】
【０００２】
従来、コインベンダーが接続されている画像形成装置が知られている（例えば、特許文献１参照。）。
【０００３】
従来の画像形成装置においては、コインベンダーに代えて、画像形成装置の機能を補強するキオスク端末が接続されることがある。
【先行技術文献】
【特許文献】
【０００４】
【特許文献１】特開２０１３−１６７７０９号公報
【発明の概要】
【発明が解決しようとする課題】
【０００５】
しかしながら、従来の画像形成装置においては、コインベンダーが接続される場合と、キオスク端末が接続される場合とで、異なる制御プログラムがインストールされる必要があるので、２つの制御プログラムが開発される必要があり、制御プログラムの開発コストが高いという問題がある。
【０００６】
そこで、本発明は、開発コストを低減することができる制御プログラムおよび画像形成装置を提供することを目的とする。
【課題を解決するための手段】
【０００７】
本発明の制御プログラムは、操作が入力される操作デバイスと、情報を表示する表示デバイスとを備える画像形成装置によって実行される制御プログラムであって、前記操作デバイスに入力された操作を受け付ける操作受付手段と、前記表示デバイスを制御する表示制御手段とを前記画像形成装置に実現させ、前記表示制御手段は、前記画像形成装置が第１の装置に接続されている場合と、前記画像形成装置が前記第１の装置とは異なる第２の装置に接続されている場合とで、前記表示デバイスによる表示を切り替え、前記操作受付手段は、前記表示デバイスによる表示に対して前記操作デバイスに入力された操作を受け付けることを特徴とする。
【０００８】
この構成により、本発明の制御プログラムを実行する画像形成装置は、画像形成装置が第１の装置に接続されている場合と、画像形成装置が第２の装置に接続されている場合とにおける表示デバイスによる表示の切り替えを１つの制御プログラムによって実現するので、制御プログラムの開発コストを低減することができる。
【０００９】
本発明の制御プログラムにおいて、前記表示制御手段は、前記画像形成装置が前記第１の装置に接続されている場合には、前記画像形成装置および前記第１の装置を備える画像形成システム用の操作画面を前記表示デバイスに表示せず、前記画像形成装置が前記第２の装置に接続されている場合には、前記画像形成装置および前記第２の装置を備える画像形成システム用の操作画面を前記表示デバイスに表示し、前記第１の装置は、前記画像形成装置および前記第１の装置を備える画像形成システム用の操作画面を表示しても良い。
【００１０】
この構成により、本発明の制御プログラムを実行する画像形成装置は、画像形成システム用の操作画面を表示する第１の装置に接続されている場合には、画像形成システム用の操作画面を表示デバイスに表示しないので、画像形成システムの構成に応じた適切な表示を実行することができる。
【００１１】
本発明の画像形成装置は、操作が入力される操作デバイスと、情報を表示する表示デバイスとを備え、上述の制御プログラムを実行することを特徴とする。
【００１２】
この構成により、本発明の画像形成装置は、画像形成装置が第１の装置に接続されている場合と、画像形成装置が第２の装置に接続されている場合とにおける表示デバイスによる表示の切り替えを１つの制御プログラムによって実現するので、制御プログラムの開発コストを低減することができる。
【発明の効果】
【００１３】
本発明の制御プログラムおよび画像形成装置は、開発コストを低減することができる。
【図面の簡単な説明】
【００１４】
【図１】本発明の一実施の形態に係る大型マルチコピー機の正面図である。
【図２】本発明の一実施の形態に係る小型マルチコピー機の正面図である。
【図３】図１および図２に示すＭＦＰのブロック図である。
【図４】図１に示すキオスク端末のブロック図である。
【図５】コインベンダー接続設定情報が編集される場合の図３に示すＭＦＰの動作のフローチャートである。
【図６】図５に示す動作において表示されるコインベンダー接続設定情報編集画面の一例を示す図である。
【図７】通常モードでの図３に示すＭＦＰの動作のフローチャートである。
【図８】図４に示すキオスク端末の動作のフローチャートである。
【図９】スキャナーによって原稿から読み取った画像をプレビューする場合の図１に示す大型マルチコピー機の動作のシーケンス図である。
【発明を実施するための形態】
【００１５】
以下、本発明の実施の形態について、図面を用いて説明する。
【００１６】
本発明の一実施の形態に係る画像形成システムとしてのマルチコピー機は、高機能であるが大型の大型マルチコピー機と、低機能であるが小型の小型マルチコピー機との２種類存在する。
【００１７】
図１は、本実施の形態に係る大型マルチコピー機１０の正面図である。図２は、本実施の形態に係る小型マルチコピー機２０の正面図である。
【００１８】
図１に示す大型マルチコピー機１０、および、図２に示す小型マルチコピー機２０は、例えば、コンビニエンスストアなどの小売業の店舗などに設置される。
【００１９】
図１に示す大型マルチコピー機１０は、画像形成装置としてのＭＦＰ（Ｍｕｌｔｉｆｕｎｃｔｉｏｎ  Ｐｅｒｉｐｈｅｒａｌ）３０と、ＭＦＰ３０に接続されてＭＦＰ３０の機能を補強する機能補強装置としてのキオスク端末４０とを備えている。ＭＦＰ３０と、キオスク端末４０との間の接続は、ブリッジ接続が採用されている。
【００２０】
図２に示す小型マルチコピー機２０は、ＭＦＰ３０と、ＭＦＰ３０に接続されてＭＦＰ３０の利用料金を徴収する料金徴収装置としてのコインベンダー５０とを備えている。
【００２１】
コインベンダー５０は、投入された通貨の受け付け、料金の徴収、お釣りの払い出し、領収書の発行などを実行可能な装置である。
【００２２】
図３は、ＭＦＰ３０のブロック図である。
【００２３】
図３に示すように、ＭＦＰ３０は、種々の操作が入力される例えばボタンなどの操作デバイスである操作部３１と、種々の情報を表示する例えばＬＣＤ（Ｌｉｑｕｉｄ  Ｃｒｙｓｔａｌ  Ｄｉｓｐｌａｙ）などの表示デバイスである表示部３２と、用紙などの記録媒体に画像を印刷する印刷デバイスであるプリンター３３と、原稿から画像を読み取る読取デバイスであるスキャナー３４と、図示していない外部のファクシミリ装置と公衆電話回線などの通信回線経由でファックス通信を行うファックスデバイスであるファックス通信部３５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部３６と、各種の情報を記憶する例えば半導体メモリー、ＨＤＤ（Ｈａｒｄ  Ｄｉｓｋ  Ｄｒｉｖｅ）などの不揮発性の記憶デバイスである記憶部３７と、ＭＦＰ３０全体を制御する制御部３８とを備えている。
【００２４】
操作部３１の少なくとも一部は、表示部３２とともに、タッチパネルを構成している。
【００２５】
記憶部３７は、Ｊａｖａ（登録商標）プラットフォームを含むファームウェア３７ａと、Ｊａｖａプラットフォーム上で動作する制御プログラムとしてのＪａｖａアプリケーションプログラム３７ｂとを記憶している。
【００２６】
記憶部３７は、コインベンダー５０（図２参照。）を接続するか否かの設定を示すコインベンダー接続設定情報３７ｃを記憶している。
【００２７】
制御部３８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部３８のＣＰＵの作業領域として用いられるメモリーとしてのＲＡＭ（Ｒａｎｄｏｍ  Ａｃｃｅｓｓ  Ｍｅｍｏｒｙ）とを備えている。制御部３８のＣＰＵは、記憶部３７または制御部３８のＲＯＭに記憶されているプログラムを実行する。
【００２８】
制御部３８は、Ｊａｖａアプリケーションプログラム３７ｂを実行することによって、操作部３１に入力された操作を受け付ける操作受付手段３８ａと、表示部３２を制御する表示制御手段３８ｂと、スキャナー３４によって原稿から画像を読み取る画像読取手段３８ｃと、画像読取手段３８ｃによって読み取られた画像をＭＦＰ３０の外部に送信する画像送信手段３８ｄとを実現する。
【００２９】
図４は、キオスク端末４０のブロック図である。
【００３０】
図４に示すように、キオスク端末４０は、種々の操作が入力される例えばボタンなどの操作デバイスである操作部４１と、種々の情報を表示する例えばＬＣＤなどの表示デバイスである表示部４２と、写真を印刷する印刷デバイスである写真プリンター４３と、ＵＳＢ（Ｕｎｉｖｅｒｓａｌ  Ｓｅｒｉａｌ  Ｂｕｓ）メモリーなどの外部の記憶媒体と通信を行う記憶媒体用通信部４４と、ＬＡＮ、インターネットなどのネットワーク経由で、または、ネットワークを介さずに有線または無線によって直接に、外部の装置と通信を行う通信デバイスである通信部４５と、各種の情報を記憶する例えば半導体メモリー、ＨＤＤなどの不揮発性の記憶デバイスである記憶部４６と、キオスク端末４０全体を制御する制御部４７とを備えている。
【００３１】
操作部４１の少なくとも一部は、表示部４２とともに、タッチパネルを構成している。
【００３２】
記憶部４６は、アプリケーションプログラム４６ａを記憶している。
【００３３】
制御部４７は、例えば、ＣＰＵと、プログラムおよび各種のデータを記憶しているＲＯＭと、制御部４７のＣＰＵの作業領域として用いられるメモリーとしてのＲＡＭとを備えている。制御部４７のＣＰＵは、記憶部４６または制御部４７のＲＯＭに記憶されているプログラムを実行する。
【００３４】
制御部４７は、アプリケーションプログラム４６ａを実行することによって、操作部４１に入力された操作を受け付ける操作受付手段４７ａと、表示部４２を制御する表示制御手段４７ｂとを実現する。
【００３５】
図１に示す大型マルチコピー機１０は、操作部４１（図４参照。）からの操作に応じて様々なサービスを提供することができる。例えば、大型マルチコピー機１０は、スキャナー３４（図３参照。）によって原稿から読み取った画像をプリンター３３（図３参照。）によって印刷するコピーのサービス、外部の記憶媒体から記憶媒体用通信部４４（図４参照。）を介して取得した文書をプリンター３３によって印刷するサービス、外部の記憶媒体から記憶媒体用通信部４４を介して取得した写真を写真プリンター４３（図４参照。）によって印刷するサービス、外部のモバイル端末から通信部４５（図４参照。）を介して取得した文書をプリンター３３によって印刷するサービス、外部のモバイル端末から通信部４５を介して取得した写真を写真プリンター４３によって印刷するサービス、スキャナー３４によって原稿から読み取った画像を記憶媒体用通信部４４を介して外部の記憶媒体に保存するサービス、スキャナー３４によって原稿から読み取った画像を通信部４５を介して外部のモバイル端末に保存するサービス、図示していない外部のデータ管理システムによって管理されているデータに基づいた印刷を実行するサービス（以下「ネットワークプリントサービス」という。）などを提供することができる。ネットワークプリントサービスには、例えば、データ管理システムから通信部４５を介して取得した文書をプリンター３３によって印刷するサービス、データ管理システムから通信部４５を介して取得した写真を写真プリンター４３によって印刷するサービスなどが含まれる。
【００３６】
図２に示す小型マルチコピー機２０は、操作部３１（図３参照。）からの操作に応じて様々なサービスを提供することができる。例えば、小型マルチコピー機２０は、スキャナー３４（図３参照。）によって原稿から読み取った画像をプリンター３３（図３参照。）によって印刷するコピーのサービス、データ管理システムから通信部４５を介して取得した文書をプリンター３３によって印刷するネットワークプリントサービスなどを提供することができる。
【００３７】
大型マルチコピー機１０は、ＭＦＰ３０の機能がキオスク端末４０によって補強されるので、小型マルチコピー機２０と比較して、高機能である。したがって、高機能のマルチコピー機の設置が希望されている場合には、大型マルチコピー機１０が設置される。
【００３８】
小型マルチコピー機２０は、大型マルチコピー機１０と比較して、横幅が短い。したがって、マルチコピー機の設置場所の横幅が特定の長さより短い場合には、小型マルチコピー機２０が設置される。
【００３９】
次に、マルチコピー機の動作について説明する。
【００４０】
まず、コインベンダー接続設定情報３７ｃが編集される場合のＭＦＰ３０の動作について説明する。
【００４１】
図５は、コインベンダー接続設定情報３７ｃが編集される場合のＭＦＰ３０の動作のフローチャートである。
【００４２】
ＭＦＰ３０の制御部３８は、ＭＦＰ３０のメンテナンスのためのメンテナンスモードに移行するための特定の操作が操作部３１に入力されることによってメンテナンスモードに移行する。なお、メンテナンスモードに移行するための特定の操作は、ＭＦＰ３０のサービスパーソンによって実行される操作であり、ＭＦＰ３０の通常の利用者には秘密にされている。
【００４３】
制御部３８は、メンテナンスモードに移行した後、コインベンダー接続設定情報３７ｃの編集を指示する操作が操作部３１に入力されることによって、図５に示す動作を実行する。
【００４４】
図５に示すように、表示制御手段３８ｂは、コインベンダー接続設定情報３７ｃの編集画面（以下「コインベンダー接続設定情報編集画面」という。）６０（図６参照。）を表示部３２に表示する（Ｓ１０１）。
【００４５】
図６は、コインベンダー接続設定情報編集画面６０の一例を示す図である。
【００４６】
図６に示すように、コインベンダー接続設定情報編集画面６０は、コインベンダー５０を接続することを設定するためのチェックボックス６１と、ＯＫボタン６２およびキャンセルボタン６３とを含んでいる。
【００４７】
図５に示すように、操作受付手段３８ａは、Ｓ１０１の処理の後、ＯＫボタン６２が押されたか否かを判断する（Ｓ１０２）。
【００４８】
操作受付手段３８ａは、ＯＫボタン６２が押されていないとＳ１０２において判断すると、キャンセルボタン６３が押されたか否かを判断する（Ｓ１０３）。
【００４９】
操作受付手段３８ａは、キャンセルボタン６３が押されたとＳ１０３において判断すると、図５に示す動作を終了する。
【００５０】
操作受付手段３８ａは、キャンセルボタン６３が押されていないとＳ１０３において判断すると、Ｓ１０２の処理を実行する。
【００５１】
操作受付手段３８ａは、ＯＫボタン６２が押されたとＳ１０２において判断すると、ＯＫボタン６２が押された時点でチェックボックス６１がチェックされていたか否かを判断する（Ｓ１０４）。
【００５２】
操作受付手段３８ａは、チェックボックス６１がチェックされていたとＳ１０４において判断すると、コインベンダー５０を接続することをコインベンダー接続設定情報３７ｃに設定して（Ｓ１０５）、図５に示す動作を終了する。
【００５３】
操作受付手段３８ａは、チェックボックス６１がチェックされていなかったとＳ１０４において判断すると、コインベンダー５０を接続しないことをコインベンダー接続設定情報３７ｃに設定して（Ｓ１０６）、図５に示す動作を終了する。
【００５４】
次に、メンテナンスモードではない通常モードでのＭＦＰ３０の動作について説明する。
【００５５】
図７は、通常モードでのＭＦＰ３０の動作のフローチャートである。
【００５６】
図７に示すように、ＭＦＰ３０の表示制御手段３８ｂは、コインベンダー５０を接続することがコインベンダー接続設定情報３７ｃに設定されているか否かを判断する（Ｓ１２１）。
【００５７】
表示制御手段３８ｂは、コインベンダー５０を接続することがコインベンダー接続設定情報３７ｃに設定されているとＳ１２１において判断すると、ＭＦＰ３０およびコインベンダー５０が互いに通信可能に接続されているか否かを判断する（Ｓ１２２）。
【００５８】
表示制御手段３８ｂは、ＭＦＰ３０およびコインベンダー５０が互いに通信可能に接続されているとＳ１２２において判断すると、小型マルチコピー機２０用の操作画面を表示部３２に表示して（Ｓ１２３）、Ｓ１２１の処理を実行する。したがって、操作受付手段３８ａは、表示部３２に表示された、小型マルチコピー機２０用の操作画面に対して操作部３１に入力された操作を受け付けることができる。
【００５９】
表示制御手段３８ｂは、ＭＦＰ３０およびコインベンダー５０が互いに通信可能に接続されていないとＳ１２２において判断すると、コインベンダーが通信可能に接続されていない旨を示すメッセージを表示部３２に表示して（Ｓ１２４）、Ｓ１２１の処理を実行する。
【００６０】
表示制御手段３８ｂは、コインベンダー５０を接続することがコインベンダー接続設定情報３７ｃに設定されていないとＳ１２１において判断すると、全面が黒い画面を表示部３２に表示する（Ｓ１２５）。
【００６１】
次いで、操作受付手段３８ａは、操作部３１を介して操作が入力されたと判断するまで、操作部３１を介して操作が入力されたか否かを判断する（Ｓ１２６）。
【００６２】
表示制御手段３８ｂは、操作部３１を介して操作が入力されたとＳ１２６において判断されると、ＭＦＰ３０およびキオスク端末４０が互いに通信可能に接続されているか否かを判断する（Ｓ１２７）。
【００６３】
なお、キオスク端末４０の制御部４７は、ＭＦＰ３０との接続の確認のためのポーリングを行う。ＭＦＰ３０の制御部３８は、ポーリングのための信号をキオスク端末４０から受信すると、ＭＦＰ３０およびキオスク端末４０が互いに通信可能に接続されていると判断するとともに、ポーリングに対する応答の信号をキオスク端末４０に送信する。キオスク端末４０の制御部４７は、ポーリングに対する応答の信号をＭＦＰ３０から受信すると、ＭＦＰ３０およびキオスク端末４０が互いに通信可能に接続されていると判断する。
【００６４】
表示制御手段３８ｂは、ＭＦＰ３０およびキオスク端末４０が互いに通信可能に接続されているとＳ１２７において判断すると、キオスク端末の操作部を介して操作を入力することを促すメッセージを、特定の時間、表示部３２に表示して（Ｓ１２８）、Ｓ１２１の処理を実行する。
【００６５】
表示制御手段３８ｂは、ＭＦＰ３０およびキオスク端末４０が互いに通信可能に接続されていないとＳ１２７において判断すると、キオスク端末が通信可能に接続されていない旨を示すメッセージを、特定の時間、表示部３２に表示して（Ｓ１２９）、Ｓ１２１の処理を実行する。
【００６６】
次に、キオスク端末４０の動作について説明する。
【００６７】
図８は、キオスク端末４０の動作のフローチャートである。
【００６８】
図８に示すように、キオスク端末４０の表示制御手段４７ｂは、大型マルチコピー機１０用の操作画面を表示部４２に表示する（Ｓ１４１）。
【００６９】
次いで、操作受付手段４７ａは、大型マルチコピー機１０用の操作画面において操作部４１を介した操作を受け付けない状態に設定する（Ｓ１４２）。
【００７０】
次いで、操作受付手段４７ａは、ＭＦＰ３０およびキオスク端末４０が互いに通信可能に接続されていると判断するまで、ＭＦＰ３０およびキオスク端末４０が互いに通信可能に接続されているか否かを判断する（Ｓ１４３）。
【００７１】
操作受付手段４７ａは、ＭＦＰ３０およびキオスク端末４０が互いに通信可能に接続されているとＳ１４３において判断すると、大型マルチコピー機１０用の操作画面において操作部４１を介した操作を受け付ける状態に設定する（Ｓ１４４）。したがって、操作受付手段４７ａは、表示部４２に表示された、大型マルチコピー機１０用の操作画面に対して操作部４１に入力された操作を受け付けることができる。
【００７２】
次いで、操作受付手段４７ａは、ＭＦＰ３０およびキオスク端末４０が互いに通信可能に接続されていないと判断するまで、ＭＦＰ３０およびキオスク端末４０が互いに通信可能に接続されているか否かを判断する（Ｓ１４５）。
【００７３】
操作受付手段４７ａは、ＭＦＰ３０およびキオスク端末４０が互いに通信可能に接続されていないとＳ１４５において判断すると、Ｓ１４２の処理を実行する。
【００７４】
次に、スキャナー３４によって原稿から読み取った画像をプレビューする場合の大型マルチコピー機１０の動作について説明する。
【００７５】
図９は、スキャナー３４によって原稿から読み取った画像をプレビューする場合の大型マルチコピー機１０の動作のシーケンス図である。
【００７６】
キオスク端末４０の表示部４２に表示された、大型マルチコピー機１０用の操作画面において、スキャナー３４によって原稿から画像を読み取ることがキオスク端末４０の操作部４１を介して指示されると、キオスク端末４０の操作受付手段４７ａは、図９に示すように、スキャナー３４によって原稿から画像を読み取ることをＭＦＰ３０に指示する（Ｓ１６１）。
【００７７】
ＭＦＰ３０の画像読取手段３８ｃは、スキャナー３４によって原稿から画像を読み取ることがキオスク端末４０から指示されると、スキャナー３４によって原稿から画像を読み取る（Ｓ１６２）。
【００７８】
次いで、ＭＦＰ３０の画像送信手段３８ｄは、Ｓ１６２において読み取られた画像をキオスク端末４０に送信する（Ｓ１６３）。
【００７９】
キオスク端末４０の表示制御手段４７ｂは、ＭＦＰ３０から画像を受信すると、受信した画像を表示部４２に表示する（Ｓ１６４）。
【００８０】
以上に説明したように、ＭＦＰ３０は、ＭＦＰ３０がキオスク端末４０に接続されている場合と、ＭＦＰ３０がコインベンダー５０に接続されている場合とにおける表示部３２による表示の切り替え（Ｓ１２１〜Ｓ１２９）を１つのＪａｖａアプリケーションプログラム３７ｂによって実現するので、Ｊａｖａアプリケーションプログラムの開発コストを低減することができる。
【００８１】
ＭＦＰ３０は、ＭＦＰ３０がキオスク端末４０に接続されている場合と、ＭＦＰ３０がコインベンダー５０に接続されている場合とにおける表示部３２による表示の切り替えを１つのＪａｖａアプリケーションプログラム３７ｂによって実現するので、Ｊａｖａアプリケーションプログラムの不具合調査やメンテナンスを容易化することができ、その結果、Ｊａｖａアプリケーションプログラムの不具合調査やメンテナンスにかかるコストを低減することができる。
【００８２】
小型マルチコピー機２０は、大型マルチコピー機１０と比較して、実行可能な機能が少ない。したがって、小型マルチコピー機２０用の操作画面は、大型マルチコピー機１０用の操作画面と比較して、メニューの数が少ない。しかしながら、大型マルチコピー機１０用の操作画面と、小型マルチコピー機２０用の操作画面とは、デザインが類似していることが利便性において好ましい。大型マルチコピー機１０用の操作画面のデザインと、小型マルチコピー機２０用の操作画面のデザインとが類似している場合、大型マルチコピー機１０および小型マルチコピー機２０の両方を利用する利用者は、大型マルチコピー機１０および小型マルチコピー機２０のいずれに対しても同様の感覚で操作することができる。
【００８３】
ＭＦＰ３０は、大型マルチコピー機１０用の操作画面を表示するキオスク端末４０に接続されている場合には、大型マルチコピー機１０用の操作画面を表示部３２に表示しない（Ｓ１２５）ので、マルチコピー機の構成に応じた適切な表示を実行することができる。
【００８４】
本発明の画像形成装置は、本実施の形態においてＭＦＰであるが、プリンター専用機、コピー専用機、ファックス専用機、スキャナー専用機など、ＭＦＰ以外の画像形成装置でも良い。
【符号の説明】
【００８５】
１０  大型マルチコピー機（画像形成システム）
２０  小型マルチコピー機（画像形成システム）
３０  ＭＦＰ（画像形成装置）
３１  操作部（操作デバイス）
３２  表示部（表示デバイス）
３７ｂ  Ｊａｖａアプリケーションプログラム（制御プログラム）
３８ａ  操作受付手段
３８ｂ  表示制御手段
４０  キオスク端末（第１の装置）
５０  コインベンダー（第２の装置）
【図１】
2019193153.tif 000003
【図２】
2019193153.tif 000004
【図３】
2019193153.tif 000005
【図４】
2019193153.tif 000006
【図５】
2019193153.tif 000007
【図６】
2019193153.tif 000008
【図７】
2019193153.tif 000009
【図８】
2019193153.tif 000010
【図９】
2019193153.tif 000011